(57)【特許請求の範囲】
【請求項１】
前側に位置する前側水平部材に取り付けられ、パレットの前側への移動を前記パレットに当接して阻止するストッパー部を有する本体を備えたパレット落下防止用ストッパー体であって、
前記本体は、前記前側水平部材に当接する垂直面と、この垂直面より前側に張り出す前側張り出し面と、この前側張り出し面より垂直上方に立ち上がる前側立ち上がり面と、
前記垂直面に接続され、前記前側張り出し面より後側に向かい、前記前側張り出し面に平行な後側張り出し面とを備え、
前記パレットの前側への移動を前記パレットに当接して阻止するストッパー部が前記
前側立ち上がり面であり、
前記前側立ち上がり面が前記前側水平部材より前側に位置し、前記垂直面と前記後側張り出し面の角部が前記前側水平部材の角部に位置している
ことを特徴とするパレット落下防止用ストッパー体。
【請求項２】
後側に位置する後側水平部材に取り付けられ、パレットの後側への移動を前記パレットに当接して阻止するストッパー部を有する本体を備えたパレット落下防止用ストッパー体であって、
前記本体は、前記後側水平部材に当接する垂直面と、この垂直面より後側に張り出す後側張り出し面と、この後側張り出し面より垂直上方に立ち上がる後側立ち上がり面と、
前記垂直面に接続され、前記後側張り出し面より前側に向かい、前記後側張り出し面に平行な前側張り出し面とを備え、
前記パレットの後側への移動を前記パレットに当接して阻止するストッパー部が前記
後側立ち上がり面であり、
前記後側立ち上がり面が前記後側水平部材より後側に位置し、前記垂直面と前記前側張り出し面の角部が前記後側水平部材の角部に位置している
ことを特徴とするパレット落下防止用ストッパー体。
【発明の詳細な説明】
【技術分野】
【０００１】
本発明は、パレット落下防止用ストッパー体に係り、特に、作業性が良好なパレット落下防止用ストッパー体に関する。
【背景技術】
【０００２】
本件発明者は、先に、物品を搭載したパレットが地震により前面（パレット受け入れ側）から飛び出すことを防いだパレット落下防止用ストッパー体を開示した（例えば、特許文献１参照）。
このパレット落下防止用ストッパー体の前側水平部材に当接すると共に、該前側水平部材の上面を超えた垂直面により、物品を搭載したパレットが前面への移動を阻止するようにしたものである。
【先行技術文献】
【特許文献】
【０００３】
【特許文献１】特許第５２３２３１８号公報
【発明の概要】
【発明が解決しようとする課題】
【０００４】
しかしながら、上記パレット落下防止用ストッパー体においては、前側水平部材に当接する面はそのまま垂直方向に向かう垂直面に形成されているため、前側水平部材の面に合わせるようにして物品搭載のパレットを前側水平部材の上面に載置するため、寸歩的に余裕がなく、垂直面の上端に接触しないように、物品搭載のパレットを降下させることは困難で、作業性が良くないという問題点が生じた。
【０００５】
本発明は、上記実情を考慮してなされた作業性が良好なパレット落下防止用ストッパー体を提供することを目的とする。
【課題を解決するための手段】
【０００６】
請求項１記載のパレット落下防止用ストッパー体は、前側に位置する前側水平部材に取り付けられ、パレットの前側への移動を前記パレットに当接して阻止するストッパー部を有する本体を備えたパレット落下防止用ストッパー体であって、前記本体は、前記前側水平部材に当接する垂直面と、この垂直面より前側に張り出す前側張り出し面と、この前側張り出し面より垂直上方に立ち上がる前側立ち上がり面と、前記垂直面に接続され、前側張り出し面より後側に向かい、前記前側張り出し面に平行な後側張り出し面とを備え、前記パレットの前側への移動を前記パレットに当接して阻止するストッパー部が前記前側立ち上がり面であり、前記前側立ち上がり面が前記前側水平部材より前側に位置し、前記垂直面と前記後側張り出し面の角部が前記前側水平部材の角部に位置しているものである。
【０００７】
また、請求項２記載のパレット落下防止用ストッパー体は、後側に位置する後側水平部材に取り付けられ、パレットの後側への移動を前記パレットに当接して阻止するストッパー部を有する本体を備えたパレット落下防止用ストッパー体であって、前記本体は、前記後側水平部材に当接する垂直面と、この垂直面より後側に張り出す後側張り出し面と、この後側張り出し面より垂直上方に立ち上がる後側立ち上がり面と、前記垂直面に接続され、前記後側張り出し面より前側に向かい、前記後側張り出し面に平行な前側張り出し面とを備え、前記パレットの後側への移動を前記パレットに当接して阻止するストッパー部が前記後側立ち上がり面であり、前記後側立ち上がり面が前記後側水平部材より後側に位置し、前記垂直面と前記前側張り出し面の角部が前記後側水平部材の角部に位置しているものである。
【発明の効果】
【００１０】
請求項１記載のパレット落下防止用ストッパー体によれば、本体は、前側水平部材に当接する垂直面と、この垂直面より前側に張り出す前側張り出し面と、この前側張り出し面より垂直上方に立ち上がる前側立ち上がり面とを備え、前側立ち上がり面が前側水平部材より前側に位置しているため、前側立ち上がり面が前側水平部材より前側に位置している分、寸歩的に余裕があり、物品搭載のパレットを前側水平部材の上面に載置し易く、作業性を向上させる等の効果を有する。
【００１１】
また、請求項２記載のパレット落下防止用ストッパー体によれば、本体は、後側水平部材に当接する垂直面と、この垂直面より前記後側水平部材より後側に張り出す後側張り出し面と、この後側張り出し面より垂直上方に立ち上がる後側立ち上がり面とを備え、後側立ち上がり面が後側水平部材より後側に位置しているため、後側立ち上がり面が後側水平部材より後側に位置している分、寸歩的に余裕があり、物品搭載のパレットを後側水平部材の上面に載置し易く、作業性を向上させる等の効果を有する。
【図面の簡単な説明】
【００１４】
【図１】図１は、本発明の一実施例のパレット落下防止用ストッパー体を使用した倉庫の概略的正面図である。
【図２】図２は、図１のパレット落下防止用ストッパー体を分解して示す概略的分解斜視図である。
【図３】図３は、図１の一部を切断して示す概略的断面図である。
【図４】図４（ａ）は、図１のパレット落下防止用ストッパー体を分解して示す概略的分解側面図であり、図４（ｂ）は、図４（ａ）のパレット落下防止用ストッパー体を前側水平部材（後側水平部材）に取り付けた状態を示す概略的側面図である。
【図５】図５は、図１のパレット落下防止用ストッパー体と異なる他の実施例のパレット落下防止用ストッパー体の概略的分解斜視図である。
【図６】図６（ａ）は、図５のパレット落下防止用ストッパー体を分解して示す概略的分解側面図であり、図６（ｂ）は、図６（ａ）のパレット落下防止用ストッパー体を前側水平部材（後側水平部材）に取り付けた状態を示す概略的側面図である。
【図７】図７は、図５のパレット落下防止用ストッパー体と異なる他の実施例のパレット落下防止用ストッパー体の概略的斜視図である。
【図８】図８（ａ）は、図７のパレット落下防止用ストッパー体を前側水平部材（後側水平部材）に取り付ける前の状態の概略的側面図であり、図８（ｂ）は、図８（ａ）のパレット落下防止用ストッパー体を前側水平部材（後側水平部材）に取り付けた状態を示す概略的側面図である。
【図９】図９は、図７のパレット落下防止用ストッパー体と異なる他の実施例のパレット落下防止用ストッパー体の概略的斜視図である。
【図１０】図１０は、は、図９のパレット落下防止用ストッパー体を前側水平部材（後側水平部材）に取り付けた状態を示す概略的断面図である。
【発明を実施するための形態】
【００１５】
本発明の一実施例のパレット落下防止用ストッパー体を図１乃至図４を参照して説明する。
図１に示すＳはパレット落下防止用ストッパー体で、パレット落下防止用ストッパー体Ｓ（Ｓ’）は、例えば、 物品を搭載したパレットを収納する倉庫等に使用されるもので、物品１が搭載されたパレット２が地震で、倉庫等から前側（パレット受け入れ側である前面）Ｆ、又は、後側（背面）Ｂから飛び出して落下しないようにしたものである。
【００１６】
パレット落下防止用ストッパー体Ｓは、前側Ｆに位置する前側水平部材３０Ａに取り付けられ、パレット２の前側Ｆへの移動をパレット２に当接して阻止するストッパー部を有する本体１０を備えている。
【００１７】
本体１０は、前側水平部材３０Ａに当接する垂直面１１と、この垂直面１１より前側Ｆに張り出す前側張り出し面１２と、この前側張り出し面１２より垂直上方に立ち上がる前側立ち上がり面１３とを備えている。
そして、パレット２の前側Ｆへの移動をパレット２に当接して阻止するストッパー部が前側立ち上がり面１３となっており、前側張り出し面１２が前側水平部材３０Ａより前側Ｆに位置しているものである。
なお、前側水平部材３０Ａに取り付け穴がない場合、図２及び図４に示す略コ字状の取り付け部材４の一側を本体１０に設けた穴１０ａ、１０ａ’を介して平座金５、ばね座金５’，ナット６、又、取り付け部材４の他側を本体１０に設けた穴１０ｂ、１０ｂ’を介して平座金７、ばね座金７’，ナット８等を用いて、パレット落下防止用ストッパー体Ｓを前側水平部材３０Ａに取り付けることができる。穴１０ａ’、穴１０ｂ’は、図２に示す補強部材９に設けられている。
また、図２に示す１５は、垂直面１１に接続され、前側張り出し面１２より後側（背面）Ｂに向かい、前側張り出し面１２に平行な後側張り出し面である。
また、倉庫等においては、所定の間隔で立設された複数の支柱と、この複数の支柱の内、パレット受け入れ側に位置する前側支柱２０Ａと、複数の支柱の内、前側支柱２０Ａの後方に位置する後側支柱２０Ｂと、前側支柱２０Ａに直交すると共に、水平方向に延びるように設けられ、パレット２を支持する前側水平部材３０Ａと、後側支柱２０Ｂに直交すると共に、水平方向に延びるように設けられ、パレット２を支持する後側水平部材３０Ｂとを有している。
【００１８】
従って、上述したパレット落下防止用ストッパー体Ｓによれば、本体１０は、前側水平部材３０Ａに当接する垂直面１１と、この垂直面１１より前側に張り出す前側張り出し面１２と、この前側張り出し面１２より垂直上方に立ち上がる前側立ち上がり面１２とを備え、前側立ち上がり面１２が前側水平部材３０Ａより前側に位置しているため、フォークリフトのオペレータは、例えば、前側水平部材３０Ａの端面を基準とした場合、垂直面１１より前側Ｆに張り出す前側張り出し面１２がある分、寸歩的に余裕がり（図３参照）、物品１搭載のパレット２を前側水平部材３０Ａの上面に載置し易く、作業性を向上させる等の効果を有する。
【００１９】
なお、上述した実施例では、パレット落下防止用ストッパー体Ｓを前側水平部材３０Ａに取り付けたが、本願発明は、これに限らず、図３に示す後側（背面）Ｂに位置する後側水平部材３０Ｂに取り付けるようにしても良い（図１乃至図４に示す括弧内の符号参照）。
後側Ｂに位置する後側水平部材３０Ｂに取り付けられたパレット落下防止用ストッパー体Ｓ’は、図１乃至図４に示す括弧内の符号を参照して、説明すると、パレット２の後側Ｂへの移動をパレット２に当接して阻止するストッパー部を有する本体１０’を備えている。
本体１０’は、後側水平部材３０Ｂに当接する垂直面１１’と、この垂直面１１’より後側に張り出す後側張り出し面１２’と、この後側張り出し面１２’より垂直上方に立ち上がる後側立ち上がり面１３’とを備え、パレット２の後側Ｂへの移動をパレット２に当接して阻止するストッパー部が後側立ち上がり面１３’となっており、後側立ち上がり面１３’が後側水平部材３０Ｂより後側Ｂに位置しているものである。
図２の括弧内に示す１５’は、垂直面１１’に接続され、後側張り出し面１２’より前側（パレット受け入れ側である前面）に向かい、後側張り出し面１２’に平行な前側張り出し面である。
上述したパレット落下防止用ストッパー体Ｓ’によれば、本体１０’は、後側水平部材３０Ｂに当接する垂直面１１’と、この垂直面１１’より後側に張り出す後側張り出し面１２’と、この後側張り出し面１２’より垂直上方に立ち上がる後側立ち上がり面１２’とを備え、後側立ち上がり面１２’が後側水平部材３０Ｂより後側に位置しているため、後側立ち上がり面１２’が後側水平部材３０Ｂより後側に位置している分、寸歩的に余裕があり（図３参照）、物品１搭載のパレット２を後側水平部材３０Ｂの上面に載置し易く、作業性を向上させる等の効果を有する。
【００２０】
なお、図５及び図６に示すように、前側水平部材３０Ａ（又は後側水平部材３０Ｂ）に取り付け穴Ｘ、Ｘ’、Ｙ、Ｙ’がある場合、図５及び図６に示す取り付け部材４Ａ、４Ｂの一方４Ａをばね座金５Ａ’、平座金５Ａ、本体１０（１０’）に設けた穴Ｘ、Ｘ’を介して、平座金５Ａ、ばね座金５Ａ’、ナット６Ａを、又、取り付け部材４の他側４Ｂをばね座金５Ｂ’、平座金５Ｂ、本体１０（１０’）に設けた穴Ｙ、Ｙ’を介して、平座金５Ｂ、ばね座金５Ｂ’、ナット６Ｂ等を用いて、パレット落下防止用ストッパー体Ｓ（Ｓ’）を前側水平部材３０Ａ（又は後側水平部材３０Ｂ）に取り付けることができる。
【００２１】
また、上述した実施例では、パレット落下防止用ストッパー体Ｓ（Ｓ’）を前側水平部材３０Ａ（後側水平部材３０Ｂ）に取り付けたが、本願発明は、これに限らず、図７及び図８に示す凹所を有する前側水平部材３０Ａ（後側水平部材３０Ｂ）に取り付けるようにしても良い。
垂直面１１（１１’）に接続され、前側張り出し面１２（後側立ち上がり面１２’）より後側（前側）に向かい、前側張り出し面１２（後側立ち上がり面１２’）に平行な後側張り出し面１５（前側張り出し面１５’）の端面を前側水平部材３０Ａ（後側水平部材３０Ｂ）の凹んだ面に当接させ、図７及び図８に示す取り付け部材４Ａ、４Ｂの一方４Ａを平座金５Ａ、本体１０（１０’）に設けた穴Ｘ”を介して、平座金５Ａ、ばね座金５Ａ’、ナット６Ａを、又、取り付け部材４の他側４Ｂを平座金５Ｂ、本体１０（１０’）に設けた穴Ｙ”を介して、平座金５Ｂ、ばね座金５Ｂ’、ナット６Ｂ等を用いて、パレット落下防止用ストッパー体Ｓ（Ｓ’）を前側水平部材３０Ａ（又は後側水平部材３０Ｂ）に取り付けることができる（図７及び図８参照）。
【００２２】
なお、上述した実施例では、パレット落下防止用ストッパー体Ｓ（Ｓ’）を前側水平部材３０Ａ（後側水平部材３０Ｂ）にボルト、ナットにより取り付けたが、本願発明にあっては、これに限らず、図９及び図１０に示すように、ボルト、ナットを不要とすることができる。
即ち、パレット落下防止用ストッパー体Ｓは、パレット２の前側Ｆへの移動をパレットに当接して阻止するストッパー部を有する本体１０を備えている。
本体１０は、前側水平部材３０Ａに当接する垂直面１１と、この垂直面１１より前側Ｆに張り出す前側張り出し面１２と、この前側張り出し面１２より垂直上方に立ち上がる前側立ち上がり面１３と、前側張り出し面１２に接続され、前側張り出し面１２より下方に向かい、垂直面１１に平行な前側垂直面１４を備えている。
そして、前側垂直面１４と垂直面１１との間に前側水平部材３０Ａが位置し、本体１０が前側水平部材３０Ａに跨って取り付けられ［図１０（ａ）（ｂ）参照］、パレット２の前側Ｆへの移動をパレット（図示せず）に当接して阻止するストッパー部が前側立ち上がり面１３となっており、前側張り出し面１２が前側水平部材３０Ａより前側Ｆに位置しているものである。
その結果、パレット落下防止用ストッパー体Ｓによれば、本体１０は、前側水平部材３０Ａに当接する垂直面１１と、この垂直面１１より前側Ｆに張り出す前側張り出し面１２と、この前側張り出し面１２より垂直上方に立ち上がる前側立ち上がり面１３とを備え、前側立ち上がり面１２が前側水平部材３０Ａより前側Ｆに位置しているため、前側立ち上がり面１２が前側水平部材３０Ａより前側Ｆに位置している分、寸歩的に余裕があり、物品１搭載のパレット２を前側水平部材３０Ａの上面に載置し易く作業性が良好で、しかも、前側垂直面１４と垂直面１１との間に前側水平部材３０Ａが位置し、本体１０が前側水平部材３０Ａに跨って取り付けられるため、本体１０を前側水平部材３０Ａに容易に取り付けることができる等の効果を有する。
【００２３】
なお、上述した実施例では、パレット落下防止用ストッパー体Ｓを前側水平部材３０Ａに取り付けたが、本願発明は、これに限らず、後側（背面）Ｂに位置する後側水平部材３０Ｂに取り付けるようにしても良い（図９及び図１０に示す括弧内の符号参照）。
即ち、図９及び図１０に示す括弧内の符号を参照して説明すると、パレット落下防止用ストッパー体Ｓ’は、パレット２の後側Ｂへの移動をパレットに当接して阻止するストッパー部を有する本体１０’を備えている。
本体１０’は、後側水平部材３０Ｂに当接する垂直面１１’と、この垂直面１１’より後側Ｂに張り出す後側張り出し面１２’と、この後側張り出し面１２’より垂直上方に立ち上がる後側立ち上がり面１３’と、後側張り出し面１２’に接続され、後側張り出し面１３’より下方に向かい、垂直面１１’に平行な後側垂直面１４’を備えている。
そして、後側垂直面１４’と垂直面１１’との間に後側水平部材３０Ｂが位置し、本体１０’が後側水平部材３０Ｂに跨って取り付けられ［図１０（ａ）（ｂ）参照］、パレット２の後側Ｂへの移動をパレット（図示せず）に当接して阻止するストッパー部が後側立ち上がり面１１’となっており、後側立ち上がり面１３’が後側水平部材３０Ｂより後側Ｂに位置しているものである。
その結果、パレット落下防止用ストッパー体Ｓ’によれば、本体１０’は、後側水平部材３０Ｂに当接する垂直面１１’と、この垂直面１１’より後側に張り出す後側張り出し面１２’と、この後側張り出し面１２’より垂直上方に立ち上がる後側立ち上がり面１３’とを備え、後側立ち上がり面１３’が後側水平部材３０Ｂより後側Ｂに位置しているため、後側立ち上がり面１３’が後側水平部材３０Ｂより後側Ｂに位置している分、寸歩的に余裕があり、物品１搭載のパレットを後側水平部材３０Ｂの上面に載置し易く作業性が良好で、しかも、後側垂直面１４’と垂直面１１’との間に後側水平部材３０Ｂが位置し、本体１０’が後側水平部材３０Ｂに跨って取り付けられるため、本体１０’を後側水平部材３０Ｂに容易に取り付けることができる等の効果を有する。
【符号の説明】
【００２４】
Ｓ      パレット落下防止用ストッパー体
Ｆ      前側
２      パレット
１０      本体
１１      垂直面
１２      前側張り出し面
１３      前側立ち上がり面
３０Ａ      前側腕木
【図１】
0006644312.tif 000002
【図２】
0006644312.tif 000003
【図３】
0006644312.tif 000004
【図４】
0006644312.tif 000005
【図５】
0006644312.tif 000006
【図６】
0006644312.tif 000007
【図７】
0006644312.tif 000008
【図８】
0006644312.tif 000009
【図９】
0006644312.tif 000010
【図１０】
0006644312.tif 000011